(57)【要約】      （修正有）【課題】バックライトモジュールに適用可能なフィルム組立体、このフィルム組立体を用いたバックライトモジュール及び表示装置を提供する。【解決手段】フィルム組立体３００は、筺体３１０と、少なくとも２つの光学フィルム３２１〜３２４とを含む。筺体３１０は、少なくとも１つの位置決め溝３１１を含む。光学フィルム３２１〜３２４は、筺体３１０に設置される。各光学フィルム３２１〜３２４は、位置決め溝３１１に対応して設置される少なくとも１つのラグ３２１ａ〜３２４ａを有する。同一の位置決め溝３１１に設置される光学フィルム３２１〜３２４のラグ３２１ａ〜３２４ａは、異なるサイズを有する。最下層の光学フィルム３２１のラグ３２１ａのサイズは、最上層の光学フィルム３２４のラグ３２４ａのサイズより小さい。【選択図】図１
0003217367.tif 000002
【実用新案登録請求の範囲】
【請求項１】
少なくとも１つの位置決め溝を含む筺体と、
前記筺体内に設置される少なくとも２つの光学フィルムと、を含み、
各前記光学フィルムは、前記位置決め溝に対応して設置される少なくとも１つのラグを有し、且つ同一の前記位置決め溝に設置される前記光学フィルムの前記ラグは、異なるサイズを有し、最下層の光学フィルムの前記ラグのサイズは、最上層の光学フィルムの前記ラグのサイズより小さい
ことを特徴とするフィルム組立体。
【請求項２】
前記少なくとも１つの位置決め溝は、段差構造を含み、且つ前記位置決め溝は、少なくとも２つの段差部を含んでおり、前記段差部の数は、前記位置決め溝に設置される前記ラグの数に対応付けられており、前記ラグは、それぞれ前記段差部に担持される
ことを特徴とする、請求項１に記載のフィルム組立体。
【請求項３】
前記段差部は、それぞれ異なる高さを有し、高さが低い前記段差部に設置された前記ラグのサイズは、高さが高い前記段差部に設置された前記ラグのサイズより小さい
ことを特徴とする、請求項２に記載のフィルム組立体。
【請求項４】
前記筺体は、延在方向を有し、
前記位置決め溝は、主開口と絞りとを含み、前記主開口の前記延在方向の幅は、前記絞りの前記延在方向の幅より大きく、
各前記ラグは、前記主開口に設置される係合部及び前記絞りに設置される首部を含み、前記係合部の前記延在方向の幅は、前記首部の前記延在方向の幅より大きい
ことを特徴とする、請求項１乃至３のいずれか一項に記載のフィルム組立体。
【請求項５】
前記位置決め溝は、少なくとも１つのストッパ部をさらに含み、前記ストッパ部は、前記絞りから前記主開口に向かって延び、且つ前記位置決め溝の底面から離間しており、前記ラグは、前記ストッパ部と前記位置決め溝の前記底面との間に設置される
ことを特徴とする、請求項４に記載のフィルム組立体。
【請求項６】
請求項１乃至５のいずれか一項に記載の前記フィルム組立体と、
前記光学フィルムの下方に設置される導光板と、
前記導光板の光入射面に隣接して設置される光源と、を含む
ことを特徴とする、バックライトモジュール。
【請求項７】
請求項根据１乃至５のいずれか一項に記載の前記フィルム組立体と、
前記光学フィルムの下方に設置される導光板と、
前記導光板の光入射面に隣接して設置される光源と、
前記筺体に担持される表示パネルと、を含む
ことを特徴とする、表示装置。
【請求項８】
前記筺体の上面には粘結具が設けられ、前記粘結具は、最上層の光学フィルムの前記ラグに貼り付けられており、前記表示パネルは、前記粘結具によって前記筺体に固定される
ことを特徴とする、請求項７に記載の表示装置。
【考案の詳細な説明】
【技術分野】
【０００１】
本考案は、フィルム組立体及びその応用に関し、特に、バックライトモジュールに適用可能なフィルム組立体、このフィルム組立体を用いたバックライトモジュール及び表示装置に関する。
【背景技術】
【０００２】
現在、バックライトモジュールに必要な光学フィルムは、導光板から出射される光の調整または均一化の目的を達成するために、主に導光板の光出射側に設置されている。現在、光学フィルムを固定するやり方は、主にバックプレートに位置決め構造を設けること、又はその他の部品を追加することで、光学フィルムを位置決めする。
【０００３】
然し、バックプレートに位置決め構造を設けることや、部品を追加することは、もはや表示画面の狭額縁及び薄型の設計傾向を満たすことができない。
【考案の概要】
【考案が解決しようとする課題】
【０００４】
従って、本考案は、フィルム組立体、このフィルム組立体を用いたバックライトモジュール及び表示装置を提供することを目的とし、フィルム組立体の設計により、バックライトモジュール及び表示装置は、狭額縁及び薄型の設計要件を満たすことができる。
【課題を解決するための手段】
【０００５】
本考案の上記の目的に基づいて、フィルム組立体を提供する。当該フィルム組立体は、筺体と、少なくとも２つの光学フィルムとを含む。筺体は、少なくとも１つの位置決め溝を含む。光学フィルムは、筺体に設置され、各光学フィルムは、位置決め溝に対応して設置される少なくとも１つのラグを有する。また、同一の位置決め溝に設置される光学フィルムのラグは、異なるサイズを有する。最下層の光学フィルムのラグのサイズは、最上層の光学フィルムのラグのサイズより小さい。
【０００６】
本考案の実施例によると、上記の位置決め溝は、段差構造を含み、且つ位置決め溝は、少なくとも２つの段差部を含む。段差部の数は、位置決め溝に設置されるラグの数に対応付けられており、ラグは、それぞれ段差部に担持される。
【０００７】
本考案の実施例によると、上記の段差部は、それぞれ異なる高さを有し、高さが低い段差部に設置されたラグのサイズは、高さが高い段差部に設置されたラグのサイズより小さい。
【０００８】
本考案の実施例によると、上記の筺体は、延在方向を有する。位置決め溝は、主開口と絞りとを含み，主開口の延在方向の幅は、絞りの延在方向の幅よりも大きい。各ラグは、主開口に設置される係合部及び絞りに設置される首部を含む。係合部の延在方向の幅は、首部の延在方向の幅よりも大きい。
【０００９】
本考案の実施例によると、上記の位置決め溝は、少なくとも１つのストッパ部をさらに含み、絞りから主開口に向かって延び、且つ位置決め溝の底面から離間している。ラグは、ストッパ部と位置決め溝の底面との間に設置される。
【００１０】
本考案の上記の目的に基づいて、バックライトモジュールを提供する。当該バックライトモジュールは、前記フィルム組立体、導光板及び光源を含む。導光板は、光学フィルムの下方に設置される。光源は、導光板の光入射面に隣接して設置される。
【００１１】
本考案の上記の目的に基づいて、表示装置を提供する。当該表示装置は、フィルム組立体、導光板、光源及び表示パネルを含む。導光板は、光学フィルムの下方に設置される。光源は、導光板の光入射面に隣接して設置される。表示パネルは、筺体に担持される。
【００１２】
本考案の実施例によると、上記の筺体の上面には粘結具が設けられ、粘結具は、最上層の光学フィルムのラグに貼り付けられる。表示パネルは、粘結具によって筺体に固定される。
【考案の効果】
【００１３】
以上から分かるように、本考案は、光学フィルムに異なるサイズを有するラグを設計することにより、組立作業員がラグを小から大になるように位置決め溝に対応して載せることで、光学フィルムを制限する目的を達成する。また、ラグのサイズが小から大になるように順序に各光学フィルムを配置する設計は、組立作業員が光学フィルムの組立数および光学フィルムの組立位置の正しさを検査しやすくするだけでなく、表示パネル全体の厚さを増加させることを避けることができる。
【００１４】
また、位置決め溝の絞りにラグの首部を合わせる設計により、光学フィルムが筺体の延在方向と直交する方向に沿って変位するのを防止することができる。なお、位置決め溝のストッパ部の設計により、光学フィルムのラグをストッパ部と位置決め溝の底面との間に制限することができ、光学フィルムの位置の制限を強化する目的を達成できる。
【図面の簡単な説明】
【００１５】
実施例及びその利点をより完全に理解するために、添付図面を参照して説明する。
【図１】図１は、本考案の第１実施形態に係る表示装置を示す装置模式図である。
【図２】図２は、本考案の第１実施形態に係るフィルム組立体を示す部分装置模式図である。
【図３】図３は、本考案の第１実施形態に係る筺体を示す部分構造模式図である。
【図４】図４は、本考案の第２実施形態に係るフィルム組立体を示す部分装置模式図である。
【図５】図５は、本考案の第２実施形態に係る筺体を示す部分構造模式図である。
【図６】図６は、本考案の第３実施形態に係るフィルム組立体を示す部分装置模式図である。
【図７】図７は、本考案の第３実施形態に係る筺体を示す部分構造模式図である。
【考案を実施するための形態】
【００１６】
以下、実施例に言及された方向の用語は、例えば「上」、「下」、「前」、「後」、「左」、「右」などは、単に図面における方向を参照する。従って、使用される方向の用語は、説明するためであり、本考案を限定するものではない。
【００１７】
図１及び図２を同時に参照すると、図１は、本考案の第１実施形態に係る表示装置を示す装置模式図であり、図２は、本考案の第１実施形態に係るフィルム組立体の部分装置模式図である。本実施形態の表示装置１００は、主に、バックライトモジュール２００と、フィルム組立体３００と、表示パネル１１０とを含む。フィルム組立体３００は、バックライトモジュール２００と表示パネル１１０との間に設置される。バックライトモジュール２００によって生成された光は、フィルム組立体３００を通過した後、表示装置１００が必要な光源として表示パネル１１０に入射されることができる。
【００１８】
バックライトモジュール２００は、図１に示すように、主に、導光板２１０と、導光板２１０の光入射面２１１に隣接して設置される光源２２０とを含む。フィルム組立体３００は、筺体３１０と、少なくとも２つの光学フィルム（本実施形態では、第１の光学フィルム３２１、第２の光学フィルム３２２、第３の光学フィルム３２３、及び第４の光学フィルム３２４の合計４枚の光学フィルムを例として説明したが、本考案を限定するものではない)とを含む。本実施例において、筺体３１０は、Ｕ字型の筺体であり、且つ主に導光板２１０の位置を制限するために用いられ、光学フィルム及び表示パネル１１０を担持することができる。一例では、筺体３１０は、フロントフレームであってもよい。
【００１９】
引き続き図１及び図２を参照すると、第１の光学フィルム３２１、第２の光学フィルム３２２、第３の光学フィルム３２３及び第４の光学フィルム３２４は、導光板２１０上に順次に積層されて、筺体３１０に担持されている。本実施例において、筺体３１０は、少なくとも１つの位置決め溝３１１を含む。第１の光学フィルム３２１はラグ３２１ａを有し、第２の光学フィルム３２２はラグ３２２ａを有し、第３の光学フィルム３２３はラグ３２３ａを有し、第４の光学フィルム３２４はラグ３２４ａを有する。ラグ３２１ａ、ラグ３２２ａ、ラグ３２３ａ及びラグ３２４ａは、位置決め溝３１１の底面３１１ａ（例えば、図３に示すように）から上方に順序に積層され、且つラグ３２１ａ、ラグ３２２ａ、ラグ３２３ａ及びラグ３２４ａは、それぞれ異なるサイズを有する。
【００２０】
図２及び図３を同時に参照すると、図３は、本考案の第１実施形態に係る筺体を示す部分構造模式図である。本実施形態の位置決め溝３１１は、少なくとも２つの段差部を含んでおり、例えば段差部３１１ｂ、段差部３１１ｃ及び段差部３１１ｄを含んでおり、段差部３１１ｄの高さが段差部３１１ｃの高さより高く、段差部３１１ｃの高さが段差部３１１ｂの高さより高く、段差部３１１ｂの高さは、位置決め溝３１１の底面３１１ａより高い。図２に示すように、第１の光学フィルム３２１のラグ３２１ａは、位置決め溝３１１の底面３１１ａ上に設置され、第２の光学フィルム３２２のラグ３２２ａは、段差部３１１ｂ上に設置され、第３の光学フィルム３２３のラグ３２３ａは、段差部３１１ｃ上に設置され、第４の光学フィルム３２４のラグ３２４ａは、段差部３１１ｄ上に設置されている。本実施例において、高さが低い段差部に設置されたラグのサイズは、高さが高い段差部に設置されたラグのサイズよりも小さい。よって、組立作業員は、ラグのサイズに従って、位置決め溝の段差部に小さいサイズから大きいサイズの順序に載せることで、光学フィルムを正しい位置に載せることができる。
【００２１】
図１を併せて参照すると、本実施例において、筺体３１０は、延在方向（Ｘ方向)を有する。位置決め溝３１１は、主開口３１２と絞り３１３とを含み、主開口３１２のＸ方向の幅Ｗ１は、絞り３１３のＸ方向の幅Ｗ２よりも大きい。また、各光学フィルムのラグは、係合部と首部とを含む。例えば、第１の光学フィルム３２１のラグ３２１ａは、係合部３２１ｂと首部３２１ｃとを含み、第２の光学フィルム３２２のラグ３２２ａは、係合部３２２ｂと首部３２２ｃとを含み、第３の光学フィルム３２３のラグ３２３ａは、係合部３２３ｂと首部３２３ｃとを含み、第４の光学フィルム３２４のラグ３２４ａは、係合部３２４ｂと首部３２４ｃとを含む。係合部３２１ｂ、３２２ｂ、３２３ｂ及び３２４ｂは、主開口３１２に設置され、首部３２１ｃ、３２２ｃ、３２３ｃ及び３２３ｄは、絞り３１３に位置するため、第１の光学フィルム３２１、第２の光学フィルム３２２、第３の光学フィルム３２３及び第４の光学フィルム３２４が、筺体３１０の延在方向と直交する方向(Ｙ方向)へ変位することを避ける。また、ラグは、異なる段差部に対応して載せられているので、段差部の設計により、光学フィルムがＸ方向に沿って変位するのを避けることができる。
【００２２】
再び図２及び図３を参照すると、いくつかの実施例において、位置決め溝３１１は、少なくとも１つのストッパ部３１４をさらに含む。ストッパ部３１４は、絞り３１３から主開口３１２に向かって延び、位置決め溝３１１の底面３１１ａと離間している。ラグ３２１ａ、３２２ａ、３２３ａ及び３２４ａは、ストッパ部３１４と位置決め溝３１１の底面３１１ａとの間に設置されている。よって、ストッパ部３１４は、第１の光学フィルム３２１、第２の光学フィルム３２２、第３の光学フィルム３２３及び第４の光学フィルム３２４がＺ方向に沿って変位して筺体３１０から脱落することを制限することができる。
【００２３】
再び図１及び図２を参照すると、位置決め溝３１１は、筺体３１０の上面から下面に向かって凹む溝である。ラグ３２１ａ、３２２ａ、３２３ａ及び３２４ａが位置決め溝３１１に設置されると、粘結具１２０を筺体３１０の上面及び最上層のラグ３２４ａに貼り付けることで、ラグ３２１ａ、３２２ａ、３２３ａ及び３２４ａを位置決め溝３１１にさらに固定することができる。いくつかの例において、粘結具１２０は、両面テープであってもよい。これにより、表示パネル１１０は、粘結具１２０によって筺体３１０に固定されることができる。
【００２４】
より具体的には、上記の位置決め溝３１１がＴ字型の溝であることは、説明のためであり、本考案を限定するものではない。他の実施形態において、位置決め溝は、異なる設計形状を有することもできる。図４及び図５を参照すると、本考案の第２実施形態に係るフィルム組立体を示す部分装置模式図及び筺体の部分構造模式図である。図４に示すように、図４のフィルム組立体４００の構造は、上記のフィルム組立体３００の構造と大体同じであり、相違点は、フィルム組立体４００の位置決め溝４１１はＬ字型の溝であり、且つ隣接する２つのＬ字型の溝が対称するように排列されていることである。
【００２５】
引き続き図４及び図５を参照すると、フィルム組立体４００は、筺体４１０と、少なくとも２つの光学フィルム(例えば、第１の光学フィルム４２１、第２の光学フィルム４２２、第３の光学フィルム４２３及び第４の光学フィルム４２４)とを含む。筺体４１０は、位置決め溝４１１を有し、且つ位置決め溝は、段差部４１１ｂ、段差部４１１ｃ及び段差部４１１ｄを含む。第１の光学フィルム４２１のラグ４２１ａは、位置決め溝４１１の底面４１１ａに設置され、第２の光学フィルム４２２のラグ４２２ａは、段差部４１１ｂ上に設置され、第３の光学フィルム４２３のラグ４２３ａは、段差部４１１ｃ上に設置され、第４の光学フィルム４２４のラグ４２４ａは、段差部４１１ｄ上に設置される。より具体的には、本実施例のラグの設計及び段差部の設計は、上記の図１〜図３の設計と同様であるため、ここではその説明を省略する。このように、光学フィルムのラグを位置決め溝の段差部に設置することによっても、光学フィルムの位置の制限を達成することができる。
【００２６】
他の実施形態において、図６及び図７を参照すると、本考案の第３実施形態に係るフィルム組立体を示す部分装置模式図及び筺体の部分構造模式図である。図６及び図７の位置決め溝５１１及び光学フィルムのラグは、頭部及びテーパ部を有するキノコの形状に設計されており、上記のような光学フィルムの位置の制限を達成することができるので、ここでは繰り返して述べない。
【００２７】
注意すべきことは、本考案の構造を明確に表現するために、図１に示すラグの光学フィルム全体に対する割合及び位置決め溝の筺体全体に対する割合は実際の比率ではなく、ラグのサイズ及び形状は、位置決め溝の構造に応じて異なる設計を有することができる。
【００２８】
より具体的には、本考案の明細書に使用される例えば「第１」、「第２」、「第３」及び「第４」などの用語は、ただ構成要素の名前を示すために使用されており、順序または量を示さない。また、上述の光学フィルムの枚数及びラグの形状や数は、表示パネルの実際の要求に応じて設計することができ、上記の実施例の形態を限定するものではない。
【００２９】
上述の本考案の実施形態から分かるように、本考案は、光学フィルムに異なるサイズを有するラグを設計することにより、組立作業員がラグを小から大になるように位置決め溝に対応して載せることで、光学フィルムの位置の制限を達成できる。また、ラグのサイズが小から大になるように順序に各光学フィルムを配置する設計は、組立作業員が光学フィルムの組立数および光学フィルムの組立位置の正しさを検査しやすくするだけでなく、表示パネル全体の厚さを増加させることを避けることができる。
【００３０】
また、位置決め溝の絞りにラグの首部を合わせる設計により、光学フィルムが筺体の延在方向と直交する方向に沿って変位するのを防止することができる。なお、位置決め溝のストッパ部の設計により、光学フィルムのラグをストッパ部と位置決め溝の底面との間に制限することができ、光学フィルムの位置の制限を強化する目的を達成する。
【００３１】
本考案は、上記の実施形態によって開示されたが、上記の実施形態によって限定されるものではなく、当業者であれば、本考案の要旨と範囲を逸脱しない範囲内で様々な変更や修正が可能である。従って、本考案の保護範囲は、添付された請求の範囲によって規定される保護範囲に基づくべきである。
【符号の説明】
【００３２】
１００  表示装置、
１１０  表示パネル、
１２０  粘結具、
２００  バックライトモジュール、
２１０  導光板、
２１１  光入射面、
２２０  光源、
３００  フィルム組立体、
３１０  筺体、
３１１  位置決め溝、
３１１ａ  底面、
３１１ｂ  段差部、
３１１ｃ  段差部、
３１１ｄ  段差部、
３１２  主開口、
３１３  絞り、
３１４  ストッパ部、
３２１  第１の光学フィルム、
３２１ａ  ラグ、
３２１ｂ  係合部、
３２１ｃ  首部、
３２２  第２の光学フィルム、
３２２ａ  ラグ、
３２２ｂ  係合部、
３２２ｃ  首部、
３２３  第３の光学フィルム、
３２３ａ  ラグ、
３２３ｂ  係合部、
３２３ｃ  首部、
３２４  第４の光学フィルム、
３２４ａ  ラグ、
３２４ｂ  係合部、
３２４ｃ  首部、
４００  フィルム組立体、
４１０  筺体、
４１１  位置決め溝、
４１１ａ  底面、
４１１ｂ  段差部、
４１１ｃ  段差部、
４１１ｄ  段差部、
４２１  第１の光学フィルム、
４２２  第２の光学フィルム、
４２３  第３の光学フィルム、
４２４  第４の光学フィルム、
５１１  位置決め溝、
Ｗ１  幅、
Ｗ２  幅。
【図１】
0003217367.tif 000003
【図２】
0003217367.tif 000004
【図３】
0003217367.tif 000005
【図４】
0003217367.tif 000006
【図５】
0003217367.tif 000007
【図６】
0003217367.tif 000008
【図７】
0003217367.tif 000009